(57)【要約】【課題】立体映像に同期した立体視用眼鏡におけるシャッタの開閉に要する消費電力量を少なくする。【解決手段】立体視用眼鏡１を装着した観察者に右眼用映像を視認させるために開状態と閉状態との間で右シャッタ部１４Ｒを開閉動作させると共に、観察者に左眼用映像を視認させるために開状態と閉状態との間で左シャッタ部１４Ｌを開閉動作させる同期信号を発生する左右同期信号発生部２２と、同期信号に従って右シャッタ部１４Ｒ及び左シャッタ部１４Ｌを開閉動作させた場合に、単位時間当たりの右眼用映像及び左眼用映像の更新回数よりも少ない回数となるよう、単位時間当たりの右シャッタ部１４Ｒ及び左シャッタ部１４Ｌの開閉回数を制御する左右同期信号発生部２２とを含む。【選択図】図２
2012156784.tif 000002
【特許請求の範囲】
【請求項１】
立体視用眼鏡を装着した観察者に右眼用映像を視認させるために右眼用シャッタ部を開閉動作させると共に、観察者に左眼用映像を視認させるために左眼用シャッタ部を開閉動作させる同期信号を発生する信号発生部と、
前記信号発生部によって生成された同期信号に従って、少なくとも、単位時間当たりの前記右眼用シャッタ部の開閉回数が単位時間当たりの前記右眼用映像の更新回数よりも少ない回数となるよう前記右眼用シャッタ部を制御するか、又は、単位時間当たりの前記左眼用シャッタ部の開閉回数が単位時間当たりの前記左眼用映像の更新回数よりも少ない回数となるよう前記左眼用シャッタ部を制御する制御部と
を含むことを特徴とする映像提示制御装置。
【請求項２】
前記制御部は、前記右眼用映像及び前記左眼用映像の内の少なくとも一方に基づいて算出される動き量に基づいて、前記単位時間当たりの前記右眼用シャッタ部又は前記左眼用シャッタ部の開閉回数を制御することを特徴とする請求項１に記載の映像提示制御装置。
【請求項３】
前記制御部は、前記単位時間当たりの前記右眼用シャッタ部の開閉回数及び前記単位時間当たりの前記左眼用シャッタ部の開閉回数の双方を制御することを特徴とする請求項１又は請求項２に記載の映像提示制御装置。
【請求項４】
前記制御部は、前記右眼用シャッタ部及び前記左眼用シャッタ部の内、観察者の視力が低い方の眼に対応する方の開閉回数が、もう一方の開閉回数よりも少ない回数となるよう制御することを特徴とする請求項１又は請求項２に記載の映像提示制御装置。
【請求項５】
前記制御部は、前記右眼用シャッタ部及び前記左眼用シャッタ部の内、観察者の利き目ではない方の眼に対応する方の開閉回数が、もう一方の開閉回数よりも少ない回数となるよう制御することを特徴とする請求項１又は請求項２に記載の映像提示制御装置。
【請求項６】
前記制御部は、前記単位時間当たりの前記右眼用シャッタ部又は前記左眼用シャッタ部の開閉回数が単位時間当たりの前記右眼用映像及び前記左眼用映像の更新回数よりも少ない回数となるよう前記右眼用映像及び前記左眼用映像の表示順序を変更し、前記変更された表示順序に従って前記右眼用シャッタ部及び前記左眼用シャッタ部を開閉するよう制御することを特徴とする請求項１乃至請求項５の何れか一項に記載の映像提示制御装置。
【請求項７】
立体視用眼鏡を装着した観察者に右眼用映像を視認させるために右眼用シャッタ部を開閉動作させると共に、観察者に左眼用映像を視認させるために左眼用シャッタ部を開閉動作させる時に、
少なくとも、単位時間当たりの前記右眼用シャッタ部の開閉回数が単位時間当たりの前記右眼用映像の更新回数よりも少ない回数となるよう前記右眼用シャッタ部を制御するか、又は、単位時間当たりの前記左眼用シャッタ部の開閉回数が単位時間当たりの前記左眼用映像の更新回数よりも少ない回数となるよう前記左眼用シャッタ部を制御する制御ステップを有することを特徴とする映像提示制御方法。
【請求項８】
前記制御ステップにおいて、前記右眼用映像及び前記左眼用映像の内の少なくとも一方に基づいて算出される動き量に基づいて、前記単位時間当たりの前記右眼用シャッタ部又は前記左眼用シャッタ部の開閉回数を制御することを特徴とする請求項７に記載の映像提示制御方法。
【請求項９】
前記制御ステップにおいて、前記単位時間当たりの前記右眼用シャッタ部の開閉回数及び前記単位時間当たりの前記左眼用シャッタ部の開閉回数の双方を制御することを特徴とする請求項７又は請求項８に記載の映像提示制御方法。
【請求項１０】
前記制御ステップにおいて、前記右眼用シャッタ部及び前記左眼用シャッタ部の内、観察者の視力が低い方の眼に対応する方の開閉回数が、もう一方の開閉回数よりも少ない回数となるよう制御することを特徴とする請求項７又は請求項８に記載の映像提示制御方法。
【請求項１１】
前記制御ステップにおいて、前記右眼用シャッタ部及び前記左眼用シャッタ部の内、観察者の利き目ではない方の眼に対応する方の開閉回数が、もう一方の開閉回数よりも少ない回数となるよう制御することを特徴とする請求項７又は請求項８に記載の映像提示制御方法。
【請求項１２】
前記制御ステップにおいて、前記単位時間当たりの前記右眼用シャッタ部又は前記左眼用シャッタ部の開閉回数が単位時間当たりの前記右眼用映像及び前記左眼用映像の更新回数よりも少ない回数となるよう前記右眼用映像及び前記左眼用映像の表示順序を変更し、前記変更された表示順序に従って前記右眼用シャッタ部及び前記左眼用シャッタ部を開閉することを特徴とする請求項７乃至請求項１１の何れか一項に記載の映像提示制御方法。
【請求項１３】
右眼用映像を観察者に視認させるために開状態と閉状態との間で切り替えられる右眼用シャッタ部と、
左眼用映像を観察者に視認させるために開状態と閉状態との間で切り替えられる左眼用シャッタ部と、
少なくとも、単位時間当たりの前記右眼用シャッタ部の開閉回数が単位時間当たりの前記右眼用映像の更新回数よりも少ない回数となるよう前記右眼用シャッタ部を制御するか、又は、単位時間当たりの前記左眼用シャッタ部の開閉回数が単位時間当たりの前記左眼用映像の更新回数よりも少ない回数となるよう前記左眼用シャッタ部を制御する制御部と
を含むことを特徴とする立体視用眼鏡。
【請求項１４】
前記制御部は、前記右眼用映像及び前記左眼用映像の内の少なくとも一方に基づいて算出される動き量に基づいて、前記単位時間当たりの前記右眼用シャッタ部又は前記左眼用シャッタ部の開閉回数を制御することを特徴とする請求項１３に記載の立体視用眼鏡。
【請求項１５】
前記制御部は、前記単位時間当たりの前記右眼用シャッタ部の開閉回数及び前記単位時間当たりの前記左眼用シャッタ部の開閉回数の双方を制御することを特徴とする請求項１３又は請求項１４に記載の立体視用眼鏡。
【請求項１６】
前記制御部は、前記右眼用シャッタ部及び前記左眼用シャッタ部の内、観察者の視力が低い方の眼に対応する方の開閉回数が、もう一方の開閉回数よりも少ない回数となるよう制御することを特徴とする請求項１３又は請求項１４に記載の立体視用眼鏡。
【請求項１７】
前記制御部は、前記右眼用シャッタ部及び前記左眼用シャッタ部の内、観察者の利き目ではない方の眼に対応する方の開閉回数が、もう一方の開閉回数よりも少ない回数となるよう制御することを特徴とする請求項１３又は請求項１４に記載の立体視用眼鏡。
【発明の詳細な説明】
【技術分野】
【０００１】
本発明は、観察者に立体映像を視認させる映像提示制御装置、映像提示制御方法及び立体視用眼鏡に関する。
【背景技術】
【０００２】
従来より、液晶シャッタを備えた立体視用眼鏡を用いて立体映像を提示する技術として、下記の特許文献１に記載されたものが知られている。
【０００３】
この特許文献１には、液晶ディスプレイが表示する左眼用映像及び右眼用映像の各フレーム期間の垂直ブランキング期間のみ液晶シャッタに左眼及び右眼を開放させることが記載されている。このように、既存の技術では、ユーザに立体映像を観察させるために、映像の更新タイミング（フレームレート）に同期して、液晶シャッタを開閉動作させている。
【先行技術文献】
【特許文献】
【０００４】
【特許文献１】特開２００９−１５２８９７号公報
【発明の概要】
【発明が解決しようとする課題】
【０００５】
しかしながら、上述した従来の技術では、映像の更新タイミングに同期して、液晶シャッタを開閉動作させているので、長期間に亘って映像を見ているほど液晶シャッタの開閉動作に要する消費電力量が多くなる。特に、ワイヤレス方式の液晶シャッタ眼鏡の電源としてリチウム電池等の一次電池を使用した場合に電池切れを生じると、液晶シャッタ眼鏡の開閉動作が停止してしまって立体映像が提示できなくなる。
【０００６】
更に、映像のちらつき（フリッカ）を抑制するため、又は映像表示を滑らかにするために映像のフレームレートを高くすると、そのフレームレートに同期して液晶シャッタ眼鏡の開閉動作を制御するため、更に液晶シャッタ眼鏡の消費電力量が多くなってしまう。
【０００７】
そこで、本発明は、上述した実情に鑑みて提案されたものであり、映像に同期したシャッタの開閉に要する消費電力量を少なくすることができる映像提示制御装置、映像提示制御方法及び立体視用眼鏡を提供することを目的とする。
【課題を解決するための手段】
【０００８】
上記の課題を解決する第１の発明に係る映像提示制御装置は、立体視用眼鏡（１）を装着した観察者に右眼用映像を視認させるために右眼用シャッタ部（１４Ｒ）を開閉動作させると共に、観察者に左眼用映像を視認させるために左眼用シャッタ部（１４Ｌ）を開閉動作させる同期信号を発生する信号発生部（２２）と、前記信号発生部（２２）によって生成された同期信号に従って、少なくとも、単位時間当たりの前記右眼用シャッタ部（１４Ｒ）の開閉回数が単位時間当たりの前記右眼用映像の更新回数よりも少ない回数となるよう前記右眼用シャッタ部（１４Ｒ）を制御するか、又は、単位時間当たりの前記左眼用シャッタ部（１４Ｌ）の開閉回数が単位時間当たりの前記左眼用映像の更新回数よりも少ない回数となるよう前記左眼用シャッタ部（１４Ｌ）を制御する制御部（２１）とを含むことを特徴とする映像提示制御装置。
【０００９】
第１の発明に係る映像提示制御装置であって、第２の発明は、前記制御部（２１）が、前記右眼用映像及び前記左眼用映像の内の少なくとも一方に基づいて算出される動き量に基づいて、前記単位時間当たりの前記右眼用シャッタ部（１４Ｒ）又は前記左眼用シャッタ部（１４Ｌ）の開閉回数を制御することを特徴とする。
【００１０】
第１又は第２の発明に係る映像提示制御装置であって、第３の発明は、前記制御部（２１）が、前記単位時間当たりの前記右眼用シャッタ部（１４Ｒ）の開閉回数及び前記単位時間当たりの前記左眼用シャッタ部（１４Ｌ）の開閉回数の双方を制御することを特徴とする。
【００１１】
第１又は第２の発明に係る映像提示制御装置であって、第４の発明は、前記制御部（２１）が、前記右眼用シャッタ部（１４Ｒ）及び前記左眼用シャッタ部（１４Ｌ）の内、観察者の視力が低い方の眼に対応する方の開閉回数が、もう一方の開閉回数よりも少ない回数となるよう制御することを特徴とする。
【００１２】
第１又は第２の発明に係る映像提示制御装置であって、第５の発明は、前記制御部（２１）が、前記右眼用シャッタ部（１４Ｒ）及び前記左眼用シャッタ部（１４Ｌ）の内、観察者の利き目ではない方の眼に対応する方の開閉回数が、もう一方の開閉回数よりも少ない回数となるよう制御することを特徴とする。
【００１３】
第１乃至第５の何れかの発明に係る映像提示制御装置であって、第６の発明は、前記制御部（２１）が、前記単位時間当たりの前記右眼用シャッタ部（１４Ｒ）又は前記左眼用シャッタ部（１４Ｌ）の開閉回数が単位時間当たりの前記右眼用映像及び前記左眼用映像の更新回数よりも少ない回数となるよう前記右眼用映像及び前記左眼用映像の表示順序を変更し、前記変更された表示順序に従って前記右眼用シャッタ部（１４Ｒ）及び前記左眼用シャッタ部（１４Ｌ）を開閉するよう制御することを特徴とする。
【００１４】
上記の課題を解決する第７の発明に係る映像提示制御方法は、立体視用眼鏡（１）を装着した観察者に右眼用映像を視認させるために右眼用シャッタ部（１４Ｒ）を開閉動作させると共に、観察者に左眼用映像を視認させるために左眼用シャッタ部（１４Ｌ）を開閉動作させる時に、少なくとも、単位時間当たりの前記右眼用シャッタ部（１４Ｒ）の開閉回数が単位時間当たりの前記右眼用映像の更新回数よりも少ない回数となるよう前記右眼用シャッタ部（１４Ｒ）を制御するか、又は、単位時間当たりの前記左眼用シャッタ部（１４Ｌ）の開閉回数が単位時間当たりの前記左眼用映像の更新回数よりも少ない回数となるよう前記左眼用シャッタ部（１４Ｌ）を制御する制御ステップを有する。
【００１５】
第７の発明に係る映像提示制御方法であって、第８の発明は、前記制御ステップにおいて、前記右眼用映像及び前記左眼用映像の内の少なくとも一方に基づいて算出される動き量に基づいて、前記単位時間当たりの前記右眼用シャッタ部（１４Ｒ）又は前記左眼用シャッタ部（１４Ｌ）の開閉回数を制御することを特徴とする。
【００１６】
第７又は第８の発明に係る映像提示制御方法であって、第９の発明は、前記制御ステップにおいて、前記単位時間当たりの前記右眼用シャッタ部（１４Ｒ）の開閉回数及び前記単位時間当たりの前記左眼用シャッタ部（１４Ｌ）の開閉回数の双方を制御することを特徴とする。
【００１７】
第７又は第８の発明に係る映像提示制御方法であって、第１０の発明は、前記制御ステップにおいて、前記右眼用シャッタ部（１４Ｒ）及び前記左眼用シャッタ部（１４Ｌ）の内、観察者の視力が低い方の眼に対応する方の開閉回数が、もう一方の開閉回数よりも少ない回数となるよう制御することを特徴とする。
【００１８】
第７又は第８の発明に係る映像提示制御方法であって、第１１の発明は、前記制御ステップにおいて、前記右眼用シャッタ部（１４Ｒ）及び前記左眼用シャッタ部（１４Ｌ）の内、観察者の利き目ではない方の眼に対応する方の開閉回数が、もう一方の開閉回数よりも少ない回数となるよう制御することを特徴とする。
【００１９】
第７乃至第１１の何れかの発明に係る映像提示制御方法であって、第１２の発明は、前記制御ステップにおいて、前記単位時間当たりの前記右眼用シャッタ部（１４Ｒ）又は前記左眼用シャッタ部（１４Ｌ）の開閉回数が単位時間当たりの前記右眼用映像及び前記左眼用映像の更新回数よりも少ない回数となるよう前記右眼用映像及び前記左眼用映像の表示順序を変更し、前記変更された表示順序に従って前記右眼用シャッタ部（１４Ｒ）及び前記左眼用シャッタ部（１４Ｌ）を開閉することを特徴とする。
【００２０】
上記の課題を解決する第１３の発明に係る立体視用眼鏡（１）は、右眼用映像を観察者に視認させるために開状態と閉状態との間で切り替えられる右眼用シャッタ部（１４Ｒ）と、左眼用映像を観察者に視認させるために開状態と閉状態との間で切り替えられる左眼用シャッタ部（１４Ｌ）と、少なくとも、単位時間当たりの前記右眼用シャッタ部（１４Ｒ）の開閉回数が単位時間当たりの前記右眼用映像の更新回数よりも少ない回数となるよう前記右眼用シャッタ部（１４Ｒ）を制御するか、又は、単位時間当たりの前記左眼用シャッタ部（１４Ｌ）の開閉回数が単位時間当たりの前記左眼用映像の更新回数よりも少ない回数となるよう前記左眼用シャッタ部（１４Ｌ）を制御する制御部（１２）とを含むことを特徴とする。
【００２１】
第１３の発明に係る立体視用眼鏡（１）であって、第１４の発明は、前記制御部（１２）が、前記右眼用映像及び前記左眼用映像の内の少なくとも一方に基づいて算出される動き量に基づいて、前記単位時間当たりの前記右眼用シャッタ部（１４Ｒ）又は前記左眼用シャッタ部（１４Ｌ）の開閉回数を制御することを特徴とする。
【００２２】
第１３又は第１４の発明に係る立体視用眼鏡（１）であって、第１５の発明は、前記制御部（１２）が、前記単位時間当たりの前記右眼用シャッタ部（１４Ｒ）の開閉回数及び前記単位時間当たりの前記左眼用シャッタ部（１４Ｌ）の開閉回数の双方を制御することを特徴とする。
【００２３】
第１３又は第１４の発明に係る立体視用眼鏡（１）であって、第１６の発明は、前記制御部（１２）が、前記右眼用シャッタ部（１４Ｒ）及び前記左眼用シャッタ部（１４Ｌ）の内、観察者の視力が低い方の眼に対応する方の開閉回数が、もう一方の開閉回数よりも少ない回数となるよう制御することを特徴とする。
【００２４】
第１３又は第１４の発明に係る立体視用眼鏡（１）であって、第１７の発明は、前記制御部（１２）が、前記右眼用シャッタ部（１４Ｒ）及び前記左眼用シャッタ部（１４Ｌ）の内、観察者の利き目ではない方の眼に対応する方の開閉回数が、もう一方の開閉回数よりも少ない回数となるよう制御することを特徴とする。
【発明の効果】
【００２５】
本発明によれば、単位時間当たりの右眼用映像及び左眼用映像の更新回数よりも少ない回数となるよう、単位時間当たりの右眼用シャッタ部又は左眼用シャッタ部の開閉回数を制御するので、映像に同期したシャッタの開閉に要する消費電力量を少なくすることができる。
【図面の簡単な説明】
【００２６】
【図１】本発明の一実施形態として示す立体映像提示システムの構成を示す斜視図である。
【図２】本発明の一実施形態として示す立体映像提示システムの機能的な構成を示すブロック図である。
【図３】本発明の一実施形態として示す立体映像提示システムにおけるフレームごとの右眼用映像及び左眼用映像を示す図である。
【図４】比較例としての（ａ）フレーム番号、（ｂ）左側開閉番号、（ｃ）開閉状態、（ｄ）右側開閉番号の関係を示す図である。
【図５】本発明の一実施形態として示す立体映像提示システムの第１動作例における（ａ）フレーム番号、（ｂ）左側開閉番号、（ｃ）開閉状態、（ｄ）右側開閉番号の関係を示す図である。
【図６】本発明の一実施形態として示す立体映像提示システムの第１動作例における他の機能的な構成を示すブロック図である。
【図７】本発明の一実施形態として示す立体映像提示システムの第１動作例における更に他の機能的な構成を示すブロック図である。
【図８】本発明の一実施形態として示す立体映像提示システムの第２動作例における（ａ）フレーム番号、（ｂ）左側開閉番号、（ｃ）開閉状態、（ｄ）右側開閉番号の関係を示す図である。
【図９】本発明の一実施形態として示す立体映像提示システムの第３動作例における機能的な構成を示すブロック図である。
【図１０】本発明の一実施形態として示す立体映像提示システムの第３動作例における（ａ）フレーム番号、（ｂ）左側開閉番号、（ｃ）開閉状態、（ｄ）右側開閉番号の関係を示す図である。
【発明を実施するための形態】
【００２７】
以下、本発明の実施の形態について図面を参照して説明する。
【００２８】
立体映像提示システムは、例えば図１に示すように、立体映像を視聴する視聴者が装着する立体視用眼鏡１と、立体映像を表示する立体映像表示装置２とを含む。この立体映像とは、立体的に視聴者に視認される映像であって、所定の視差を持たせた右眼用映像と左眼用映像を交互に切り替えてなる映像である。
【００２９】
この立体映像提示システムは、立体映像表示装置２の表示画面２ａに再生される映像を立体画像として見るために、液晶シャッタを用いたフレームシーケンシャル表示方式を採用したものである。この立体映像提示システムは、立体映像表示装置２の表示画面２ａに右眼用映像と左眼用映像とを更新しながら（切り換えながら）表示させて、当該右眼用映像と左眼用映像の更新タイミングに合わせて立体視用眼鏡１が右眼用映像又は左眼用映像を透過させる。この立体映像提示システムは、立体映像表示装置２の信号送信部２ｂから立体視用眼鏡１にワイヤレスで同期信号を送信する。そして、立体視用眼鏡１は、同期信号を信号受信部１ａによって受信し、同期信号に合わせて右眼用映像又は左眼用映像を透過させる。
【００３０】
立体視用眼鏡１は、機能的な構成を図２に示すように、受信部１１、左右画像同期制御部１２、左右シャッタ開閉駆動部１３、右シャッタ部１４Ｒ（右眼用シャッタ部）、及び、左シャッタ部（左眼用シャッタ部）１４Ｌを含む。立体視用眼鏡１は、例えば、内蔵された二次電池で動作する。立体映像表示装置２は、左右シャッタ制御信号作成部２１、左右同期信号発生部２２、及び、送信部２３を含む。なお、右シャッタ部１４Ｒ及び左シャッタ部１４Ｌを総称するときには単に「シャッタ部１４」とも呼ぶ。
【００３１】
先ず、立体映像表示装置２について説明する。
【００３２】
左右シャッタ制御信号作成部２１は、フレームごとの右シャッタ部１４Ｒの開閉状態及び左シャッタ部１４Ｌの開閉状態を表すシャッタ開閉制御信号を作成する。左右シャッタ制御信号作成部２１は、右シャッタ部１４Ｒ及び左シャッタ部１４Ｌの動作を制御するためのシャッタ制御パラメータを入力する。左右シャッタ制御信号作成部２１は、入力したシャッタ制御パラメータに基づいて右シャッタ部１４Ｒ及び左シャッタ部１４Ｌの開閉動作を決定して、シャッタ開閉制御信号を作成する。
【００３３】
例えば、右眼用映像を表示させるフレームにおいては、右シャッタ部１４Ｒを開（透過）状態とすると共に左シャッタ部１４Ｌを閉（遮蔽）状態とするシャッタ開閉制御信号を作成する。また、左眼用映像を表示させるフレームにおいては、左シャッタ部１４Ｌを開（透過）状態とすると共に右シャッタ部１４Ｒを閉（遮蔽）状態とするシャッタ開閉制御信号を作成する。
【００３４】
このとき、左右シャッタ制御信号作成部２１は、シャッタ制御パラメータに基づいて、少なくとも、単位時間当たりの右シャッタ部１４Ｒの開閉回数が単位時間当たりの右眼用映像の更新回数よりも少ない回数となるよう右シャッタ部１４Ｒを制御するか、又は、単位時間当たりの左シャッタ部１４Ｌの開閉回数が単位時間当たりの左眼用映像の更新回数よりも少ない回数となるよう左シャッタ部１４Ｌを制御するシャッタ開閉制御信号を作成する。又は、左右シャッタ制御信号作成部２１は、シャッタ制御パラメータに基づいて、右シャッタ部１４Ｒ及び左シャッタ部１４Ｌの双方の開閉動作の回数を少なくするシャッタ開閉制御信号を作成する。この開閉動作とは、シャッタ部１４を開状態から閉状態に切り替える動作及びシャッタ部１４を閉状態から開状態に切り替える動作の双方を含む。
【００３５】
左右同期信号発生部２２は、左右シャッタ制御信号作成部２１から供給されたシャッタ開閉制御信号に従って、立体映像表示装置２側で表示する右眼用映像及び左眼用映像の表示タイミングと、右シャッタ部１４Ｒ及び左シャッタ部１４Ｌの開閉タイミングを合わせるための同期信号を作成する。この同期信号は、単位時間当たりの右眼用映像及び左眼用映像の更新タイミングに同期して右シャッタ部１４Ｒ及び左シャッタ部１４Ｌを開閉動作させるタイミング信号である。
【００３６】
送信部２３は、左右シャッタ制御信号作成部２１により作成したシャッタ開閉制御信号及び左右同期信号発生部２２により発生した同期信号を無線通信によって送信する。
【００３７】
つぎに、立体視用眼鏡１について説明する。
【００３８】
右シャッタ部１４Ｒ及び左シャッタ部１４Ｌは、図１に示したような立体視用眼鏡１のフレームの右眼部分及び左眼部分に取り付けられる。右シャッタ部１４Ｒは、右眼用映像を観察者に視認させるために開状態と閉状態との間で切り替えられる。左シャッタ部１４Ｌは、左眼用映像を観察者に視認させるために開状態と閉状態との間で切り替えられる。右シャッタ部１４Ｒ及び左シャッタ部１４Ｌは、開状態においては立体映像表示装置２に表示された映像を透過して観察者に視認させ、閉状態においては立体映像表示装置２に表示された映像を遮蔽する。
【００３９】
受信部１１は、立体映像表示装置２から発せられた同期信号及びシャッタ開閉制御信号を受信する。受信部１１は、同期信号及びシャッタ開閉制御信号を左右画像同期制御部１２に供給する。
【００４０】
この同期信号は、立体映像表示装置２による右眼用映像及び左眼用映像の表示タイミングと右シャッタ部１４Ｒ及び左シャッタ部１４Ｌの開閉タイミングを同期させるパルス信号である。また、シャッタ開閉制御信号は、右眼用映像及び左眼用映像のフレームごとの右シャッタ部１４Ｒ及び左シャッタ部１４Ｌの開閉状態を示す。このシャッタ開閉制御信号は、単位時間当たりの右シャッタ部１４Ｒ又は前記左シャッタ部１４Ｌの開閉動作の回数（以下、開閉回数という）が、単位時間当たりの右眼用映像及び左眼用映像の更新回数よりも少ない回数となるよう作成されている。
【００４１】
左右画像同期制御部１２は、受信部１１から供給された同期信号を用いて、右シャッタ部１４Ｒ及び左シャッタ部１４Ｌの開閉タイミング信号を作成し、左右シャッタ開閉駆動部１３に供給する。この開閉タイミング信号は、立体映像表示装置２の右眼用映像及び左眼用映像の表示タイミングに同期している。
【００４２】
左右シャッタ開閉駆動部１３は、受信部１１により受信したシャッタ開閉制御信号及び左右画像同期制御部１２により作成された開閉タイミング信号に従って、右シャッタ部１４Ｒ及び左シャッタ部１４Ｌを駆動する。このとき、左右シャッタ開閉駆動部１３は、開閉タイミング信号により示された開閉タイミングごとに、シャッタ開閉制御信号を参照して、右シャッタ部１４Ｒ及び左シャッタ部１４Ｌの開閉状態を制御する。
【００４３】
このような立体視用眼鏡１は、シャッタ開閉制御信号に従って動作することによって、少なくとも、単位時間当たりの右シャッタ部１４Ｒの開閉回数が単位時間当たりの右眼用映像の更新回数よりも少ない回数となるよう右シャッタ部１４Ｒを制御するか、又は、単位時間当たりの左シャッタ部１４Ｌの開閉回数が単位時間当たりの左眼用映像の更新回数よりも少ない回数となるよう左シャッタ部１４Ｌを制御する。
【００４４】
なお、図２に示した立体映像提示システムは、右シャッタ部１４Ｒ又は左シャッタ部１４Ｌの開閉回数を制御する構成と立体視用眼鏡１とが別体であるものについて説明したが、これには限られない。例えば、立体視用眼鏡１が映像ディスプレイと一体化された構成であれば、左右シャッタ制御信号作成部２１及び左右同期信号発生部２２を立体視用眼鏡１とを一体化できる。また、立体視用眼鏡１に左右シャッタ制御信号作成部２１又は左右同期信号発生部２２の一部を内蔵させても良い。
【００４５】
以下、上述したように構成された立体映像提示システムによって単位時間当たりの右眼用映像及び左眼用映像の更新回数よりも少ない回数となるよう、単位時間当たりの右シャッタ部１４Ｒ又は前記左シャッタ部１４Ｌの開閉回数を制御する具体的な例を説明する。
【００４６】
先に、以下の第１動作例乃至第３動作例の比較例としての従来の立体映像提示システムについて説明する。
【００４７】
比較例としての従来の立体映像提示システムでは、図３に示すように、フレーム番号の１，２，３・・・となるごとに、左眼用映像、右眼用映像、左眼用映像、・・・の順に、フレームレートに同期して右眼用映像と左眼用映像とを交互に更新して表示を行う。このとき、従来の立体映像提示システムでは、図４に示すように、フレームレートに同期したフレーム番号（ａ）に同期して、右シャッタ部１４Ｒ及び左シャッタ部１４Ｌの開閉状態（ｃ）を切り替える。シャッタ部１４の開閉動作が図３の右眼用映像と左眼用映像との更新タイミングと同期することにより、右眼用映像が表示されている期間においては右シャッタ部１４Ｒが開状態（図中○で示す）となり左シャッタ部１４Ｌが閉状態（図中●で示す）とされる。逆に、図３の右眼用映像と左眼用映像との切り替えと同期することにより、左眼用映像が表示されている期間においては左シャッタ部１４Ｌが開状態（図中○で示す）となり右シャッタ部１４Ｒが閉状態（図中●で示す）とされる。
【００４８】
このような従来の立体映像提示システムは、図４（ｂ）の左側開閉番号、（ｄ）の右側開閉番号に示すように、１６フレームの期間内に、右眼用映像及び左眼用映像の開閉動作を、右側開閉番号及び左側開閉番号（１）〜（１５）の１５回に亘って行う必要がある。すなわち、単位時間当たりの右眼用映像及び左眼用映像の更新回数と、単位時間当たりの右シャッタ部１４Ｒ及び左シャッタ部１４Ｌの開閉回数とを同じにしている。
【００４９】
［第１動作例］
本発明を適用した立体映像提示システムの第１動作例は、図５に示すように、単位時間当たりの右シャッタ部１４Ｒの開閉回数が単位時間当たりの右眼用映像の更新回数よりも少ない回数となるよう右シャッタ部１４Ｒを制御するか、又は、単位時間当たりの左シャッタ部１４Ｌの開閉回数が単位時間当たりの左眼用映像の更新回数よりも少ない回数となるよう左シャッタ部１４Ｌを制御する。
【００５０】
第１動作例に係る立体映像提示システムは、図５（ｃ）の開閉状態、（ｄ）の右側開閉番号に示すように、図３における右眼用映像及び左眼用映像の更新回数よりも、右シャッタ部１４Ｒの開閉回数を少なくする。具体的には、右シャッタ部１４Ｒの開状態にすべきフレーム番号の２，６，１０，１４の期間（図５（ａ））において、右シャッタ部１４Ｒの開閉状態を閉状態（図５（ｃ））にしている。例えば、フレーム番号が２の期間に右シャッタ部１４Ｒを閉状態とすることにより、フレーム番号が１〜３の３フレーム期間に亘って右シャッタ部１４Ｒを閉状態に維持する。これにより、フレーム番号が１〜３の期間では、右シャッタ部１４Ｒのフレームの更新回数が３であり、左シャッタ部１４Ｌの開閉回数が２回であるのに対して、右シャッタ部１４Ｒの開閉回数を０にしている。
【００５１】
以上のように、１６フレームの期間における右眼用映像及び左眼用映像の更新回数が１５回であるのに対して、右シャッタ部１４Ｒの開閉動作の回数を７回に減じていることによって、映像に同期した右シャッタ部１４Ｒの開閉動作に要する消費電力量を少なくする。
【００５２】
なお、立体映像提示システムでは、３〜５フレームに亘って左眼用映像、右眼用映像、左眼用映像の順で視認させ、７〜９フレームに亘って左眼用映像、右眼用映像、左眼用映像の順で視認させ、１１〜１３フレームに亘って左眼用映像、右眼用映像、左眼用映像の順で視認させ、１５，１６フレームに亘って左眼用映像、右眼用映像の順で視認させる。したがって、立体映像提示システムによれば、図５（ｃ）の開閉状態ように、右眼用映像の開閉回数を減じることによって一方の画像をある一定の範囲内において見えない状態にしても、立体映像として滑らかな動きに見させることができる。
【００５３】
また、この立体映像提示システムは、本来であれば右眼用映像を視認させるタイミングのうち１回おきに右シャッタ部１４Ｒを閉状態にしているが、当該閉状態にする回数を更に増やしても良い。例えば、例えば図５における８フレーム目も右シャッタ部１４Ｒを閉状態にすることもできる。これによって、立体映像提示システムは、更に消費電力の削減することができる。
【００５４】
このような立体映像提示システムは、例えば図６に示すように、シャッタ制御パラメータを生成する構成として、動き検出部２４を備える。動き検出部２４は、表示する映像データを用いて、右シャッタ部１４Ｒ及び左シャッタ部１４Ｌの単位時間当たりの開閉回数を制御するパラメータとしての画像動き量を生成する。
【００５５】
動き検出部２４は、立体映像表示装置２の表示画面２ａに表示させる時間的に前後した右眼用映像を取得し、右眼用映像間の動き量を抽出する。又は、動き検出部２４は、立体映像表示装置２の表示画面２ａに表示させる時間的に前後した左眼用映像を取得し、左眼用映像間の動き量を抽出する。これにより、動き検出部２４は、右眼用映像及び左眼用映像の内の少なくとも一方に基づいて算出される動き量を求める。このとき、動き検出部２４は、時間的に前後する映像内の画素ブロックの画像内位置を比較して、当該画素ブロックの画像内位置の移動量を求める。これによって、動き検出部２４は、右眼用映像間の動き量又は左眼用映像の動き量を抽出して、左右シャッタ制御信号作成部２１に供給する。
【００５６】
左右シャッタ制御信号作成部２１は、右眼用映像及び左眼用映像の内の少なくとも一方に基づいて算出される動き量に基づいて、単位時間当たりの右シャッタ部１４Ｒ又は左シャッタ部１４Ｌの開閉回数を制御する。
【００５７】
左右シャッタ制御信号作成部２１は、実際の映像の動き量が所定の動き量よりも少ない場合には、右シャッタ部１４Ｒ又は左シャッタ部１４Ｌの開閉状態を少なくする。具体的には、図５に示したように、右シャッタ部１４Ｒの開閉回数を約半数にする。
【００５８】
左右シャッタ制御信号作成部２１は、映像の動き量が少ないほど、右シャッタ部１４Ｒ又は左シャッタ部１４Ｌの開閉状態を少なくしても良い。具体的には、左右シャッタ制御信号作成部２１は、第１所定動き量よりも実際の映像の動き量が少ない場合には右シャッタ部１４Ｒの開閉回数を約半数とし、更に第１所定動き量よりも少ない第２所定動き量よりも実際の映像の動き量が少ない場合には、右シャッタ部１４Ｒの開閉回数を半数よりも少なくする。
【００５９】
立体映像表示装置２により表示する映像の動きが多い場合に右シャッタ部１４Ｒ及び左シャッタ部１４Ｌを閉状態にする回数を増やせば、観察者にフリッカ（ちらつき）を感じさせてしまう。逆に、静止画のような動きの無い映像であれば、右シャッタ部１４Ｒ及び左シャッタ部１４Ｌを閉状態にする回数を多くしても、観察者にフリッカを感じさせることがない。このような観点より、この立体映像提示システムは、映像の動き量に応じて本来であれば開状態とすべきタイミングで右シャッタ部１４Ｒ及び左シャッタ部１４Ｌを閉状態にする回数を制御することで、フリッカを感じさせずに滑らかな動きの立体映像を観察者に視認させることができる。
【００６０】
更に述べると、立体映像を視認させる時には、右眼用映像と左眼用映像とを左右の別々眼で見ている。このため、右眼用映像と左眼用映像のうちの一方の映像を任意のフレーム数の範囲内において一時停止させたとしても、もう一方の映像が動いていることにより、滑らかな動きの立体映像に見える。このような観点より、立体映像提示システムは、映像から動き量を抽出し、当該動き量の大きさに応じて、右シャッタ部１４Ｒ又は左シャッタ部１４Ｌの開閉回数を制御できる。
【００６１】
つぎに、第１動作例における他の立体映像提示システムについて説明する。
【００６２】
立体映像提示システムは、右シャッタ部１４Ｒ及び左シャッタ部１４Ｌの内、観察者の視力が低い方の眼に対応する方の開閉回数が、もう一方の開閉回数よりも少ない回数となるよう制御しても良い。又は、立体映像提示システムは、右シャッタ部１４Ｒ及び左シャッタ部１４Ｌの内、観察者の利き目ではない方の眼に対応する方の開閉回数が、もう一方の開閉回数よりも少ない回数となるよう制御しても良い。
【００６３】
このような立体映像提示システムは、図７に示すように、シャッタ制御パラメータとしての利き目又は視力を入力する操作入力部３を備える。操作入力部３は、立体映像表示装置２に備えられていても良く、立体映像表示装置２に付属するリモートコントローラであっても良く、更には立体視用眼鏡１に備えられていても良い。操作入力部３は、観察者の利き目又は視力が入力されると、左右シャッタ制御信号作成部２１に供給する。
【００６４】
左右シャッタ制御信号作成部２１は、観察者の利き目ではない方に対応するシャッタ部１４の開閉回数を減ずる。具体的には、左右シャッタ制御信号作成部２１は、観察者の利き目が右眼である場合には左シャッタ部１４Ｌの開閉回数を減じ、観察者の利き目が左眼である場合には右シャッタ部１４Ｒの開閉回数を減ずる。
【００６５】
左右シャッタ制御信号作成部２１は、観察者の視力が低い方に対応するシャッタ部１４の開閉回数を減ずる。具体的には、左右シャッタ制御信号作成部２１は、観察者の右眼が左眼よりも視力が低い場合には右シャッタ部１４Ｒの開閉回数を減じ、観察者の左眼が右眼よりも視力が低い場合には左シャッタ部１４Ｌの開閉回数を減ずる。
【００６６】
このような立体映像提示システムは、人間が視力の高い方の眼を、物を見る中心に使用する傾向があり、視力の差がない場合であっても利き目を、物を見る中心に使用する傾向がある。このため、図５の右シャッタ部１４Ｒのように、視力の高い方に対応するシャッタ部１４よりも視力の低い方に対応するシャッタ部１４を閉状態にする回数を増やすことによって、立体感を損なわない滑らかな映像を観察者に視認させることができる。同様に、図５の右シャッタ部１４Ｒのように、利き目である方に対応するシャッタ部１４よりも利き目でない方に対応するシャッタ部１４を閉状態にする回数を増やすことによって、立体感を損なわない滑らかな映像を観察者に視認させることができる。
【００６７】
更に、この立体映像提示システムは、フリッカ（ちらつき）の全くない立体映像を視認させるために立体映像表示装置２におけるフレームレートを高くすることが望ましい。例えば、立体視用眼鏡１における開閉動作の周波数が６０Ｈｚ以下であると、フリッカが発生し、長時間見ていると疲れが生じてしまう。そこで、立体映像提示システムは、立体映像表示装置２のフレームレートを例えば１２０Ｈｚ以上にし、これに同期して右シャッタ部１４Ｒ及び左シャッタ部１４Ｌを開閉することが望ましい。このように、フレームレートを高くすると、右シャッタ部１４Ｒ及び左シャッタ部１４Ｌの開閉回数が多くなって立体視用眼鏡１の消費電力量が大きくなるが、上述したように右シャッタ部１４Ｒ及び左シャッタ部１４Ｌの開閉回数を少なくして、消費電力量の増加を抑制できる。
【００６８】
［第２動作例］
第２動作例は、図８に示すように、単位時間当たりの右シャッタ部１４Ｒの開閉回数及び単位時間当たりの左シャッタ部１４Ｌの開閉回数の双方を制御する。これによって、右シャッタ部１４Ｒと左シャッタ部１４Ｌの双方の開閉回数を、単位時間当たりの右眼用映像及び左眼用映像の更新回数よりも少なくする。すなわち、第１動作例では、右シャッタ部１４Ｒ及び左シャッタ部１４Ｌの一方のみの閉状態となる期間を長くしたが、第２動作例では、右シャッタ部１４Ｒ及び左シャッタ部１４Ｌの双方ともに閉状態となる期間を長くする。
【００６９】
この立体映像提示システムは、図８（ａ）のフレーム番号のように１〜１６のフレーム番号に亘る期間において、図８（ｂ）の左側開閉番号、（ｃ）の開閉状態のように、左シャッタ部１４Ｌの開閉回数を１１回とする。同様に、図８（ｄ）の右側開閉番号、（ｃ）の開閉状態のように、右シャッタ部１４Ｒの開閉回数を９回とする。具体的には、２フレーム目では右シャッタ部１４Ｒを閉状態にし、５フレーム目では左シャッタ部１４Ｌを閉状態にする。このように、３フレームに亘って連続して閉状態する動作を、右シャッタ部１４Ｒと左シャッタ部１４Ｌとで交互に発生させる。
【００７０】
このような立体映像提示システムは、シャッタ制御パラメータとして、例えば動き検出部２４から映像の動き量が、左右シャッタ制御信号作成部２１に供給される。そして、左右シャッタ制御信号作成部２１は、映像の動き量が少ない場合には、図８に示したように右シャッタ部１４Ｒ及び左シャッタ部１４Ｌの双方の開閉回数を少なくするよう、フレームごとの右シャッタ部１４Ｒ及び左シャッタ部１４Ｌの開閉状態を決定する。これにより、立体映像提示システムは、映像の動き量に応じて、右シャッタ部１４Ｒ及び左シャッタ部１４Ｌの双方の開閉回数を少なくするか否かを決定できる。また、立体映像提示システムは、映像の動き量が大きいほど、右シャッタ部１４Ｒ及び左シャッタ部１４Ｌの双方の開閉回数を少なくする度合いを大きくしても良い。
【００７１】
以上のように、この立体映像提示システムによれば、右シャッタ部１４Ｒ及び左シャッタ部１４Ｌの双方の開閉回数を少なくできるので、更に消費電力量を少なくできる。
【００７２】
［第３動作例］
第３動作例は、単位時間当たりの右シャッタ部１４Ｒ又は左シャッタ部１４Ｌの開閉回数が単位時間当たりの右眼用映像及び左眼用映像の更新回数よりも少ない回数となるよう右眼用映像及び左眼用映像の表示順序を変更し、変更された表示順序に従って右シャッタ部１４Ｒ及び左シャッタ部１４Ｌを開閉するよう制御するものである。
【００７３】
この立体映像提示システムは、図９に示すように、左右シャッタ制御信号作成部２１に、表示制御部２５及び表示部２６が接続されている。表示制御部２５は、図示しない映像バッファから右眼用映像及び左眼用映像を取り出して、表示部２６に供給する。表示制御部２５は、右眼用映像及び左眼用映像の供給順序が左右シャッタ制御信号作成部２１により制御される。これにより、表示制御部２５は、表示部２６における右眼用映像及び左眼用映像の表示順序を変更する。
【００７４】
左右シャッタ制御信号作成部２１は、シャッタ制御パラメータが供給される。左右シャッタ制御信号作成部２１は、シャッタ制御パラメータに基づいて、単位時間当たりの右眼用映像及び左眼用映像の更新回数よりも少ない回数となるよう、フレームごとの右シャッタ部１４Ｒ及び左シャッタ部１４Ｌの開閉状態を決定する。
【００７５】
このとき、左右シャッタ制御信号作成部２１は、決定したフレームごとの右シャッタ部１４Ｒ及び左シャッタ部１４Ｌの開閉状態に同期して右眼用映像及び左眼用映像を表示させるよう表示制御部２５を制御する。これにより、表示制御部２５は、左右シャッタ制御信号作成部２１により決定されたフレームごとの出力映像が右眼用映像か左眼用映像かを判定して、映像バッファから右眼用映像又は左眼用映像を読み込んで、表示部２６に供給する。
【００７６】
第３動作例に係る立体映像提示システムは、図１０（Ａ）に示すように、表示部２６に表示する右眼用映像及び左眼用映像の順序を変更する。
【００７７】
第１動作例及び第２動作例においては、図３に示したように、フレーム番号が１，２，３，４，・・・となることに対して、左眼用映像、右眼用映像、左眼用映像、右眼用映像、・・・といった順序で右眼用映像と左眼用映像とを交互に表示させる。これに対し、第３動作例に係る立体映像提示システムは、フレーム番号が１，２，３，４，・・・となることに対して、左眼用映像、右眼用映像、右眼用映像、左眼用映像、・・・といった順序とする。これにより、立体映像提示システムは、図１０（Ｂ）における（ｂ）〜（ｄ）に示すように、１〜１６のフレーム番号に亘る期間において、右シャッタ部１４Ｒ及び左シャッタ部１４Ｌの開閉回数を１０回とする。
【００７８】
すなわち、２フレーム目、３フレーム目では、右眼用映像を連続して表示させると共に左シャッタ部１４Ｌを閉状態にし、２フレーム目のみで右シャッタ部１４Ｒを開状態とする。これにより、２フレーム目のみで右眼用映像を視認させる。続いて、３フレーム目、４フレーム目では、右眼用映像、左眼用映像の順で表示させると共に、右シャッタ部１４Ｒを閉状態にし、４フレーム目では、左シャッタ部１４Ｌを開状態とする。これにより、４フレーム目のみで左眼用映像を視認させる。
【００７９】
このように、立体映像提示システムは、図１０（Ａ）のような映像の表示順序とすると共に右シャッタ部１４Ｒ及び左シャッタ部１４Ｌを２回づつ閉状態にすることによって、右眼用映像と左眼用映像とを交互に観察者に視認させる。
【００８０】
なお、図１０では、右シャッタ部１４Ｒ及び左シャッタ部１４Ｌの双方について開閉回数を減ずる例を示したが、これに限らず、右シャッタ部１４Ｒ及び左シャッタ部１４Ｌの一方のみの開閉回数を減ずるよう右眼用映像及び左眼用映像の表示順序及び右シャッタ部１４Ｒ及び左シャッタ部１４Ｌの開閉動作を決定することもできることは勿論である。
【００８１】
以上のように、この立体映像提示システムによれば、表示部２６に表示する右眼用映像及び左眼用映像の表示順序を制御することによって、単位時間当たりの右眼用映像及び左眼用映像の更新回数よりも少ない回数となるよう、単位時間当たりの右シャッタ部１４Ｒ及び左シャッタ部１４Ｌの開閉回数を制御することができる。したがって、この立体映像提示システムによれば、第１動作例及び第２動作例と同様に、右シャッタ部１４Ｒ及び左シャッタ部１４Ｌの開閉動作に要する消費電力量を抑制できる。なお、第２動作例に係る立体映像提示システム及び第３動作例に係る立体映像提示システムは１６フレームに亘るシャッタ部１４の切り替え回数が２０回であり、シャッタ部１４の開閉動作に必要な消費電力量は同じである。
【００８２】
また、第２動作例に係る立体映像提示システムが３フレーム連続で右シャッタ部１４Ｒ又は左シャッタ部１４Ｌを閉状態にする必要があったが、この立体映像提示システムによれば２フレーム連続で右シャッタ部１４Ｒ又は左シャッタ部１４Ｌを閉状態にすれば良い。これにより、この立体映像提示システムによれば、シャッタ部１４の開閉回数を少なくしても、シャッタ部１４を閉じている時間を短くできる。これにより、動きのある映像であってもフリッカの発生し難い立体映像を提供できる。
【００８３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００８４】
１  立体視用眼鏡
１ａ  信号受信部
２  立体映像表示装置
２ａ  表示画面
２ｂ  信号送信部
３  操作入力部
１１  受信部
１２  左右画像同期制御部
１３  左右シャッタ開閉駆動部
１４Ｌ  左シャッタ部
１４Ｒ  右シャッタ部
２１  左右シャッタ制御信号作成部
２２  左右同期信号発生部
２３  送信部
２４  動き検出部
２５  表示制御部
２６  表示部
【図１】
2012156784.tif 000003
【図２】
2012156784.tif 000004
【図３】
2012156784.tif 000005
【図４】
2012156784.tif 000006
【図５】
2012156784.tif 000007
【図６】
2012156784.tif 000008
【図７】
2012156784.tif 000009
【図８】
2012156784.tif 000010
【図９】
2012156784.tif 000011
【図１０】
2012156784.tif 000012